(57)【要約】【課題】乳房を拡大するとともにバランスの取れた乳房にすることができ、手で取り扱い易い幅に構成して胸及び手の平部位への刺激付与を便利にした胸部マッサージ器を提供すること。【解決手段】一般的な女性の胸の曲率と類似するように左右側が側面視弧形からなる上下ケースをそれぞれ備え、その間の隙間に振動モータ、バッテリを収容するバッテリホルダー、スイッチを含んだ駆動回路を互いに配線されるように設置し、該上部ケースの上面には該スイッチを押すためのケース一体型弾性押圧片と、該バッテリホルダー部位を開閉する蓋を備え、該下部ケースの下面には多数の永久磁石を取り付けて構成するが、該上下ケースの平面視の上下幅は手で掴めるように左右幅に比べて狭く形成し、該上下ケースの結合部位の一側には該上下ケースを手で掴んだときに手指がのせられるように指同士の間の屈曲にあわせた突起をそれぞれ形成し、該スイッチが押されると、該駆動回路によって該振動モータが所定の時間作動した後止まるように構成した。【選択図】　　　　　図１
0003097009.tif 000002
【実用新案登録請求の範囲】
【請求項１】
一般的な女性の胸の曲率と類似するように左右側が側面視弧形からなる上下ケース（１）及び（２）をそれぞれ備え、その間に振動モータ（３）、バッテリ（４）を収容するバッテリホルダー（５）、スイッチ（６）を含んだ駆動回路（７）をお互いに連結するように設置し、該上部ケース（１）の上面には該スイッチ（６）を押すためのケース一体型弾性押圧片（８）と、該バッテリホルダー（５）部位を開閉する蓋（９）を備え、該下部ケース（２）の下面には多数の永久磁石（１０）を取り付けて構成し、該上下ケース（１）及び（２）の結合部位の一側には該上下ケース（１）及び（２）を手で掴んだときに手指がのせられるように指同士の間の屈曲にあわせた突起（１１）をそれぞれ形成し、該スイッチ（６）が押されると、該駆動回路（７）によって該振動モータ（３）が所定の時間作動した後止まるように構成することを特徴とする胸部マッサージ器。
【考案の詳細な説明】
【０００１】
【考案の属する技術分野】
本考案は、胸部マッサージ器に関し、さらに詳細には、振動モータを駆動して胸部位の血液循環を図り、且つ永久磁石の磁力によって細胞を活性化させることにより、乳房を拡大するとともにバランスの取れた乳房にすることができ、手で取り扱い易い幅に構成して胸及び手の平部位への刺激付与を便利にした胸部マッサージ器に関する。
【０００２】
【従来の技術】
周知の如く、女性の胸は母性の象徴であるとともに美の尺度であるといえる。このような理由から、女性は小さい乳、垂れ乳、不均衡な乳に対するコンプレックスに苛まれられてきたと言っても過言ではない。
【０００３】
そのため、女性の乳房を拡大させるための物理的な機具が登場してきたが、殆どの機具は、女性の乳房を象ったカップを胸に被せた状態で、吸着ガンまたは吸着ポンプのような吸着器を用いて胸を強制に吸着させて拡張させたり吸着力を解除したりする過程を繰返し、胸部を物理的に運動させることにより、乳房を拡張させようとしている。ところが、これは乳房を強制的に拡張するため、機具の使用時に痛みを誘発し且つ身体に副作用をもたらして胸部を不均衡にする恐れがあるうえ、内省的な女性には拒否感を与えるなど多くの問題点があった。
【０００４】
【考案が解決しようとする課題】
本考案は、かかる問題点に鑑みて提案されたもので、その目的は、手で持ち上げられるほどの小型サイズの上下ケースの内部に振動モータを備え、簡便に携帯しながら場所に拘らず振動モータを駆動させて胸をマッサージすることができるようにし、上下ケースの結合部位の一側に、指同士の間の屈曲にあわせた突起を形成して胸部だけでなく手の平部位に刺激を与えることを可能にし、多数の永久磁石を備えて永久磁石の磁力による効果を同時に図り、胸部を拡大することができるのは勿論のこと、バランスの取れた胸にすることができ、スイッチを押すと、内部駆動回路によって振動モータを駆動して所定の時間振動した後、自動停止することにより、使用上の便宜性を図る胸部マッサージ器を提供することにある。
【０００５】
【課題を解決するための手段】
上記目的を達成するために、本考案は、一般的な女性の胸の曲率と類似するように左右側が側面視弧形からなる上下ケースをそれぞれ備え、その間の隙間に振動モータ、バッテリを収容するバッテリホルダー、スイッチを含んだ駆動回路を互いに配線されるように設置し、前記上部ケースの上面には前記スイッチを押すためのケース一体型弾性押圧片と、前記バッテリホルダー部位を開閉する蓋を備え、前記下部ケースの下面には多数の永久磁石を取り付けて構成し、前記上下ケースの平面視の上下幅は手で掴めるように左右幅に比べて狭く形成し、前記上下ケースの結合部位の一側には前記上下ケースを手で掴んだときに手指がのせられるように指同士の間の屈曲にあわせた突起をそれぞれ形成し、前記スイッチが押されると、前記駆動回路により前記振動モータが所定の時間作動した後止まるように構成した胸部マッサージ器を提供する。
【０００６】
【考案の実施の形態】
以下、本考案を提示する実施例によって具体化する。
本考案に係る胸部マッサージ器は、図１〜図３に示すように、一般的な女性の胸の曲率と類似するように左右側が側面視弧形からなる上下ケース１及び２をそれぞれ備え、その間に振動モータ３、バッテリ４を収容するバッテリホルダー５、スイッチ６を含んだ駆動回路７を互いに連結されるように設置し、上部ケース１の上面にはスイッチ６を押すためのケース一体型弾性押圧片８と、バッテリホルダー５の部位を開閉する蓋９を備え、下部ケース２の下面には多数の永久磁石１０を取り付けて構成するが、上下ケース１及び２の平面視の上下幅は手で掴むことができるように左右幅に比べて狭く形成され、上下ケース１及び２の結合部位の一側には上下ケース１及び２を手で掴んだときに手指がのせられるように指同士の間の屈曲にあわせた突起１１をそれぞれ形成したものである。
【０００７】
この際、上下ケース１及び２は硬質合成樹脂材からなり、ケース一体型弾性押圧片８は上部ケース１を一部位のみ残して切開し、残された部位の弾性によって下部のスイッチ６を押圧し得るように構成し、蓋９はヒンジ式で構成するか或いはロック部位を弾力的に形成してワンタッチロックされるようにすることもできる。この他にもバッテリホルダー５部位を開閉することが可能な構造であれば、いずれでもよい。
【０００８】
また、永久磁石１０は強制嵌め合わせするかまたは接着剤などで付着させて構成することができ、振動モータ３と上下ケース１及び２との間には振動モータ３による上下ケース１及び２の損傷を防止するためのスポンジのような防振材をそれぞれ介在させる。
【０００９】
次に、このように構成された本考案に係る胸部マッサージ器の作用を説明する。
まず、本考案に係る胸部マッサージ器の凹んだ部位、即ち下部ケース２の下面を胸部に当てた後、マッサージ器を握っている手の親指を用いて押圧片８を押すと、上下ケース１及び２の内部に位置したスイッチ６が押され、バッテリ４の直流電源が振動モータ３に印加され、これにより振動モータ３が駆動されると同時に胸部マッサージ器全体が振動する。この際、振動モータ３は、その出力軸に偏心重量体が結合されており、振動モータ３の駆動によって偏心重量体が回転しながら振動を誘発するもので、バッテリ４の直流電源によって駆動できるように小型直流モータを採用することが好ましい。
【００１０】
図４は本考案に適用される駆動回路の一例を示すもので、Ｖｃｃに３Ｖが印加されると、マイクロプロセッサの１番ピンはＲ１プルアップ抵抗によってＨ（３Ｖ）になり、２番ピンはＣ１、Ｒ２の時定数によって１Ｋの周波数が発生してマイクロプロセッサの基準クロックとして設定され、３番ピンはＲ３によってＨにプルアップされているが、スイッチ６を押す場合はＬ（０Ｖ）になってスタートする。
【００１１】
５番ピンは出力ピンであり、スタートの前にはＬ（０Ｖ）になっており、スイッチ６が押されると、Ｈ（３Ｖ）になって駆動用トランジスタＴＲのベースに電圧を印加し、ＴＲのベースにＨが印加されると、ＴＲが導通されて振動モータ３が回転し、Ｒ５は振動モータ３の電流が適当に流れるようにし、Ｃ２は振動モータ３動作時の雑音を除去し、Ｃ３は電源の雑音を除去する。
【００１２】
一旦動作が開示され、マイクロプロセッサで計算して４分が経過すると、自動に５番ピンの出力がＬになり、ＴＲの導通が解除されて振動モータ３が停止し、動作中であってもスイッチ６をもう一度押すと、即時にマイクロプロセッサの出力（５番ピン）がＬになり、振動モータ３は停止する。
【００１３】
即ち、振動モータ３を駆動するための駆動回路７のマイクロプロセッサによって振動モータ３を所定の時間、例えば４分間駆動し、時間経過後には自動に電源をオフさせるか、振動モータ３の作動中にスイッチ６を押すと自動に停止するので、スイッチ６を押し続けなくても振動モータ３が適正時間駆動するため、使用が非常に便利になる。
【００１４】
前記胸部マッサージを随時行って振動モータ３による振動が胸部に持続的に伝えられると、胸部が振動すると共に細胞が活性化されて大きくなり、乳房が拡大されるのは勿論のこと、バランスの取れた乳房にすることができ、振動自体によって疲労感を解消することができる。特に、本考案に係る胸部マッサージ器は手で持ち上げられるほどの小型サイズなので、簡便に携帯しながら随時場所に拘らず胸をマッサージすることができる。
【００１５】
このような振動モータ３による振動の効果と共に、乳房部位に密着する下部ケース２の下面には多数の永久磁石１０が圧入または付着されているので、永久磁石１０による磁力が胸部に伝達される。このような磁力によって胸部の血行を良くして疲労感を解消することができ、乳房癌などの婦人病を予防することができるなど振動及び磁力による効果を同時に得ることができる。
【００１６】
一方、本考案に係る胸部マッサージ器は、胸部だけでなく、手の平部位の疲労感を解消することもできるもので、胸部マッサージ器を手で掴むと、指同士の間の屈曲にあわせた突起１１に指がのせられ、機器と手の平が密着する。このような状態で押圧片８を押すと、振動モータ３が振動して前述の振動及び磁力による効果を得ることができ、バッテリ４が消耗すると、蓋９を開いて簡便にバッテリ４を取り替えることができるという利点もある。
【００１７】
【考案の効果】
以上説明したように、本考案に係る胸部マッサージ器は、小型なので簡便に携帯しながら随時胸部マッサージを行うことができ、振動モータと永久磁石を備え、振動モータによる振動及び永久磁石による磁力の効果を同時に得ることができる。さらに、持続的な胸刺激によって乳房が拡大されると共にバランスの取れた乳房にすることができ、胸部だけでなく手の平部位を刺激して疲労感の解消にも使用することができ、特にスイッチを押し続けていなくても一度だけ押すと、振動モータが所定の時間駆動した後、電源が自動にオフされるので、使用がより便利になるなど非常に有用な効果がある。
【図面の簡単な説明】
【図１】図１は、本考案に係る胸部マッサージ器の分解斜視図である。
【図２】図２は、本考案に係る胸部マッサージ器の内部平面図である。
【図３】図３は、本考案に係る胸部マッサージ器の側面図である。
【図４】図４は、本考案に係る胸部マッサージ器の制御回路図である。
【符号の説明】
１　上部ケース
２　下部ケース
３　振動モータ
４　バッテリ
５　バッテリホルダー
６　スイッチ
７　駆動回路
８　押圧片
９　蓋
１０　永久磁石
１１　突起
【図１】
0003097009.tif 000003
【図２】
0003097009.tif 000004
【図３】
0003097009.tif 000005
【図４】
0003097009.tif 000006